(57)【要約】      （修正有）【課題】果樹枝誘引支持具を提供する。【解決手段】所定幅以上を具備する誘引ストラップ２０を利用し、果樹の側枝を支持するための果樹枝誘引支持具に係り、誘引ストラップが長さ調節部材３０に挿入されて結合される挿入部を複数個に設け、誘引ストラップと長さ調節部材とを複数回結合することにより、側枝による荷重が増大する場合にも、誘引ストラップが長さ調節部材から容易に滑り出したり離脱したりする現象を防止し、側枝の位置を所望位置に固定させることができる。【選択図】図２
2020018286.tif 000002
【特許請求の範囲】
【請求項１】
果樹の枝のうち誘引しようとする側枝に脱着自在に支持される枝掛け部材と、
前記枝掛け部材に一側端部が固定され、前記果樹の枝のうち主枝に巻きつけられ、所定幅を具備する誘引ストラップと、
前記誘引ストラップの他側端部に一端部が固定され、前記誘引ストラップに結合され、前記誘引ストラップの長手方向に沿って、移動自在な長さ調節部材と、を含み、
前記長さ調節部材は、
一方向に沿って延長される板状の本体部と、
前記本体部に配置され、前記誘引ストラップの一部が受容される第１受容部と、
前記本体部に配置され、前記第１受容部と所定間隔を間に置いて離隔されるように配置され、前記誘引ストラップの他の一部が受容される第２受容部と、
前記第１受容部に、前記誘引ストラップの一部が挿入自在に、第１方向に沿って延長される第１挿入部と、
前記第２受容部に、前記誘引ストラップの他の一部が挿入自在に、前記第１方向と異なる第２方向に沿って延長される第２挿入部と、を含む果樹枝誘引支持具。
【請求項２】
前記第１挿入部が延長される前記第１方向と、前記第２挿入部が延長される前記第２方向は、互いに対向することを特徴とする請求項１に記載の果樹枝誘引支持具。
【請求項３】
前記第１挿入部の一端部に配置され、前記誘引ストラップの一部が、前記第１挿入部からの離脱を防止する段差部とをさらに含むことを特徴とする請求項１に記載の果樹枝誘引支持具。
【請求項４】
前記第１受容部の長手方向に沿って配置され、前記本体部の厚み方向に沿って突出するように設けられる第１突出部と、
前記第２受容部の長手方向に沿って配置され、前記本体部の厚み方向に沿って突出するように設けられる第２突出部と、をさらに含むことを特徴とする請求項１に記載の果樹枝誘引支持具。
【請求項５】
前記第１突出部の上部において、前記第１突出部の長手方向に沿って配置され、前記本体部の厚み方向に沿って突出するように設けられる１以上の第１係止部と、
前記第２突出部の上部において、前記第２突出部の長手方向に沿って配置され、前記本体部の厚み方向に沿って突出するように設けられる１以上の第２係止部と、をさらに含むことを特徴とする請求項４に記載の果樹枝誘引支持具。
【請求項６】
前記誘引ストラップの幅は、５ｍｍ以上であることを特徴とする請求項４または５に記載の果樹枝誘引支持具。
【請求項７】
前記第１方向は、前記本体部の延長方向と時計回り方向に沿って、１００°以上１５０°以下の角度を具備し、
前記第２方向は、前記本体部の延長方向と反時計回り方向に沿って、３０°以上８０°以下の角度を具備することを特徴とする請求項１に記載の果樹枝誘引支持具。
【請求項８】
前記枝掛け部は、
前記側枝に支持されるフック部と、
一方向に沿って延長され、一端部が前記フック部の一端部に結合され、前記誘引ストラップの一側端部が固定される誘引ストラップ支持部と、を含み、
前記誘引ストラップ支持部は、前記フック部に対して所定角度を具備するように結合されることを特徴とする請求項１に記載の果樹枝誘引支持具。
【請求項９】
前記フック部に配置され、前記側枝に対して前記フック部を固定させる１以上の固定突起をさらに含むことを特徴とする請求項８に記載の果樹枝誘引支持具。
【請求項１０】
果樹の枝のうち誘引しようとする側枝に脱着自在に支持される枝掛け部材と、
前記枝掛け部材に一側端部が固定され、前記果樹の枝のうち主枝に巻きつけられ、所定幅を具備する誘引ストラップと、
前記誘引ストラップの他側端部に一端部が固定され、前記誘引ストラップに結合され、前記誘引ストラップの長手方向に沿って、移動自在な長さ調節部材と、を含み、
前記長さ調節部材は、
一方向に沿って延長される板状の本体部と、
前記本体部の中心部に互いに離隔されるように配置され、前記誘引ストラップの異なる一部が受容される３以上の受容部と、
前記３以上の受容部それぞれに、前記誘引ストラップの異なる一部が挿入自在に一方向に沿って延長される３以上の挿入部と、を含む果樹枝誘引支持具。
【請求項１１】
前記３以上の挿入部にそれぞれ配置され、前記誘引ストラップの一部が、前記３以上の挿入部からの離脱を防止する複数個の段差部をさらに含むことを特徴とする請求項１０に記載の果樹枝誘引支持具。
【請求項１２】
前記３以上の受容部にそれぞれ配置され、前記３以上の受容部の長手方向に沿って延長され、前記本体部の厚み方向に沿って突出するように設けられる複数個の突出部をさらに含むことを特徴とする請求項１０に記載の果樹枝誘引支持具。
【請求項１３】
前記複数個の突出部の上部において、前記複数個の突出部の長手方向に沿って配置され、前記本体部の厚み方向に沿って突出するように設けられる複数個の係止部をさらに含むことを特徴とする請求項１２に記載の果樹枝誘引支持具。
【請求項１４】
前記誘引ストラップの幅は、５ｍｍ以上であることを特徴とする請求項１２または１３に記載の果樹枝誘引支持具。
【発明の詳細な説明】
【技術分野】
【０００１】
本発明は、果樹枝誘引支持具に係り、さらに具体的には、果樹の枝のうち側枝を一定角度に反るように誘引するのは言うまでもなく、側枝の位置を容易に調節することができるように、誘引ストラップの長さを調節することができる果樹枝誘引支持具に関する。
【背景技術】
【０００２】
一般的に、りんごや梨のような果実が実る果樹（果樹のなる木）において、果実が良好に育つようにするためには、果実が実る時期及び育つ時期に合わせ、果実への養分が十分に供給されるように、果樹の主幹から分枝される側枝を上部方向または下部方向に牽引して誘引する必要がある。
【０００３】
言い換えれば、前記果樹から伸びて出た側枝の角度が、１０〜１５°を維持してこそ、養分が一方に偏らず、側枝の内側から外側へ等しく移動される。
【０００４】
前記側枝の角度により、栄養生長（徒長枝）と生殖生長（結果枝）とに分けられるために、翌年収穫高と果実肥大とに大きい影響を与える。
【０００５】
このとき、前記側枝が空を向くようにそのまま放っておけば、徒長枝だけ形成され、翌年収穫高が減り、側枝が地を向いて曲がるようになれば、過度に多くの結果枝が形成されることにより、必要ない花芽分化により、保存養分の不足による果実サイズの減少につながり、所望状態の果実、及び果樹の生理的安定化のために、側枝の誘引作業は必ず必要である。
【０００６】
ここで、前記果樹の側枝を誘引するためには、合成樹脂などからなる誘引ストラップの一端を側枝に結び、他端を支柱（主幹、他の木の側枝、支柱と支柱とを連結した補助ワイヤ、その他支柱の役割を行う物品）などに結んで誘引した。
【０００７】
しかし、前述のような方法は、誘引ストラップを側枝に結ぶ過程が複雑であり、側枝が作業者の背より高かったり、多くの側枝によって空間が狭小である場合には、作業が困難であり、作業性が顕著に低下し、人件費がかさんでしまうという問題点があった。
【０００８】
また、前記誘引ストラップの細狭い断面積が、側枝の表皮と木質部との間に、栄養と水分とが流通する通路に圧力を掛け、抑止させるか、あるいは甚だしくは断絶させてしまうことは言うまでもなく、樹液の流れを阻害し、栄養及び水分が十分に供給されなくなるという問題点があった。
【０００９】
また、前記誘引ストラップを回収するとき、結び目を円滑にほどくことができないだけではなく、再使用が不可能であり、側枝の誘引角度に合わせてストラップを切って使用しなければならないことにより、材料（誘引ストラップ）の浪費が甚だしいことは言うまでもなく、再度の側枝誘引角度調節が困難であるという問題点があった。
【００１０】
前述のような問題点を改善するために、先行技術（特許文献１）では、誘引ストラップを具備する果樹枝誘引支持具に関する技術を開示している。
【００１１】
該先行技術においては、誘引ストラップの一側に結束された枝掛け部材を、移動させる果樹の側枝に掛け、誘引ストラップを、果樹の主枝に巻きつけた後、誘引ストラップの他側に結束された長さ調節部材を、誘引ストラップに結合させることにより、果樹の側枝を簡便に誘引することができる果樹枝誘引支持具を開示している。
【００１２】
しかし、該先行文献では、側枝の荷重が増加するにつれ、長さ調節部材に結合された誘引ストラップが、長さ調節部材から容易に滑り出したり離脱したりし、それにより、側枝の位置が変化し、側枝の反り角度が変化し、側枝の位置を容易に調節することができないという問題がある。
【先行技術文献】
【特許文献】
【００１３】
【特許文献１】韓国登録特許第１０−１８３２７０３号公報
【発明の概要】
【発明が解決しようとする課題】
【００１４】
本発明が解決しようとする課題は、果樹の枝のうち側枝を一定角度に反るように誘引するのは言うまでもなく、側枝の位置を容易に調節することができるように、誘引ストラップの長さを調節することができる果樹枝誘引支持具を提供することである。
【課題を解決するための手段】
【００１５】
本発明の一実施形態による果樹枝誘引支持具は、果樹の枝のうち誘引しようとする側枝に脱着自在に支持される枝掛け部材と、前記枝掛け部材に一側端部が固定され、前記果樹の枝のうち主枝に巻きつけられ、所定幅を具備する誘引ストラップと、前記誘引ストラップの他側端部に一端部が固定され、前記誘引ストラップに結合され、前記誘引ストラップの長手方向に沿って移動自在な長さ調節部材と、を含み、前記長さ調節部材は、一方向に沿って延長される板状の本体部と、前記本体部に配置され、前記誘引ストラップの一部が受容される第１受容部と、前記本体部に配置され、前記第１受容部と所定間隔を間に置いて離隔されるように配置され、前記誘引ストラップの他の一部が受容される第２受容部と、前記第１受容部に、前記誘引ストラップの一部が挿入自在に、第１方向に沿って延長される第１挿入部と、前記第２受容部に、前記誘引ストラップの他の一部が挿入自在に、前記第１方向と異なる第２方向に沿って延長される第２挿入部と、を含んでもよい。
【００１６】
前記第１挿入部が延長される前記第１方向と、前記第２挿入部が延長される前記第２方向は、互いに対向する。
【００１７】
前記第１挿入部の一端部に配置され、前記誘引ストラップの一部が、前記第１挿入部からの離脱を防止する段差部をさらに含んでもよい。
【００１８】
前記第１受容部の長手方向に沿って配置され、前記本体部の厚さ方向に沿って突出するように設けられる第１突出部と、前記第２受容部の長手方向に沿って配置され、前記本体部の厚み方向に沿って突出するように設けられる第２突出部と、をさらに含んでもよい。
【００１９】
前記第１突出部の上部において、前記第１突出部の長手方向に沿って配置され、前記本体部の厚み方向に沿って突出するように設けられる１以上の第１係止部と、前記第２突出部の上部において、前記第２突出部の長手方向に沿って配置され、前記本体部の厚み方向に沿って突出するように設けられる１以上の第２係止部と、をさらに含んでもよい。
【００２０】
前記誘引ストラップの幅は、５ｍｍ以上でもある。
【００２１】
前記第１方向は、前記本体部の延長方向と時計回り方向に沿って、１００°以上１５０°以下の角度を具備し、前記第２方向は、前記本体部の延長方向と反時計回り方向に沿って、３０°以上８０°以下の角度を具備することができる。
【００２２】
前記枝掛け部は、前記側枝に支持されるフック部と、一方向に沿って延長され、一端部が前記フック部の一端部に結合され、前記誘引ストラップの一側端部が固定される誘引ストラップ支持部と、を含み、前記誘引ストラップ支持部は、前記フック部に対して所定角度を具備するようにも結合される。
【００２３】
前記フック部に配置され、前記側枝に対して前記フック部を固定させる１以上の固定突起をさらに含んでもよい。
【００２４】
本発明の他の実施形態による果樹枝誘引支持具は、果樹の枝のうち誘引しようとする側枝に脱着自在に支持される枝掛け部材と、前記枝掛け部材に一側端部が固定され、前記果樹の枝のうち主枝に巻きつけられ、所定幅を具備する誘引ストラップと、前記誘引ストラップの他側端部に一端部が固定され、前記誘引ストラップに結合され、前記誘引ストラップの長手方向に沿って、移動自在な長さ調節部材と、を含み、前記長さ調節部材は、一方向に沿って延長される板状の本体部と、前記本体部の中心部に互いに離隔されるように配置され、前記誘引ストラップの異なる一部が受容される３以上の受容部と、前記３以上の受容部それぞれに、前記誘引ストラップの異なる一部が挿入自在に一方向に沿って延長される３以上の挿入部と、を含んでもよい。
【００２５】
前記３以上の挿入部にそれぞれ配置され、前記誘引ストラップの一部が、前記３以上の挿入部からの離脱を防止する複数個の段差部をさらに含んでもよい。
【００２６】
前記３以上の受容部にそれぞれ配置され、前記３以上の受容部の長手方向に沿って延長され、前記本体部の厚み方向に沿って突出するように設けられる複数個の突出部をさらに含んでもよい。
【００２７】
前記複数個の突出部の上部において、前記複数個の突出部の長手方向に沿って配置され、前記本体部の厚み方向に沿って突出するように設けられる複数個の係止部をさらに含んでもよい。
【００２８】
前記誘引ストラップの幅は、５ｍｍ以上でもある。
【発明の効果】
【００２９】
本発明によれば、誘引ストラップが長さ調節部材に挿入されて結合される挿入部を複数個に設け、誘引ストラップと長さ調節部材とを複数回結合することにより、側枝による荷重が増大する場合にも、誘引ストラップが長さ調節部材から容易に滑り出したり離脱したりする現象を防止し、側枝の位置を所望位置に固定させることができる。それにより、側枝を適する角度に維持させたり、側枝の間隔を調節したりすることができ、果樹で果実が実る側枝間に、空間的均衡を維持させることができる。
【００３０】
また、本発明によれば、所定幅以上を具備する誘引ストラップを利用して果樹の側枝を支持することにより、側枝が誘引ストラップによって損傷されることを防止することができる。
【００３１】
また、だれでも簡便に枝誘引作業を行うことができ、作業性向上は言うまでもなく、人件費を節減することができ、枝掛け部材によって側枝を損傷させたり、樹液フローを妨害したりすることなく、枝から容易に解体して回収することができるだけではなく、再使用が可能であるという効果がある。
【００３２】
また、誘引ストラップの長さを調節する長さ調節部材が誘引ストラップに結合された状態で、誘引ストラップ長手方向に移動しながら、誘引ストラップの長さを、長くあるいは短く、再び容易に調節することができ、さまざまな条件変化に合わせ、随時に側枝が反る角度を修正して果樹の成長を促進し、大きくて良質の果実を栽培することができるという効果がある。
【図面の簡単な説明】
【００３３】
【図１】本発明の一実施形態による果樹枝誘引支持具の使用状態図である。
【図２】本発明の一実施形態による果樹枝誘引支持具の斜視図である。
【図３】本発明の一実施形態による枝掛け部材の側面図である。
【図４】本発明の一実施形態による長さ調節部材の平面図である。
【図５】本発明の一実施形態による長さ調節部材の側面図である。
【図６】本発明の一実施形態による果樹枝誘引支持具の使用状態図である。
【図７Ａ】本発明の一実施形態による果樹枝誘引支持具の設置方法について説明する概略図である。
【図７Ｂ】本発明の一実施形態による果樹枝誘引支持具の設置方法について説明する概略図である。
【図７Ｃ】本発明の一実施形態による果樹枝誘引支持具の設置方法について説明する概略図である。
【図８】本発明の一実施形態による長さ調節部材の使用状態について説明する側面図である。
【図９】本発明の他の実施形態による果樹枝誘引支持具の斜視図である。
【図１０】本発明の他の実施形態による長さ調節部材の平面図である。
【図１１】本発明の他の実施形態による長さ調節部材の使用状態について説明する概略図である。
【発明を実施するための形態】
【００３４】
以下、添付された図面を参照し、以下の実施形態について詳細に説明するが、図面を参照して説明するとき、同一であるか、あるいは対応する構成要素は、同一図面符号を付し、それに係わる重複説明は、省略する。
【００３５】
本実施形態は、多様な変換を加えることができるが、特定実施形態を図面に例示し、詳細な説明によって詳細に説明する。本実施形態の効果、特徴、及びそれらを達成する方法は、図面と共に詳細に説明する内容を参照すれば、明確になるであろう。しかし、本実施形態は、以下で開示される実施形態に限定されるものではなく、多様な形態にも具現される。
【００３６】
以下の実施形態において、第１、第２のような用語は、限定的な意味ではなく、１つの構成要素を他の構成要素と区別する目的に使用された。
【００３７】
以下の実施形態において、単数の表現は、文脈上明白に異なって意味しない限り、複数の表現を含む。
【００３８】
以下の実施形態において、方向を指す上（上側）、下（下側）、左右（横側または側方）、前（正面、前側）、後（背面、後側）などは、権利限定の用途ではない説明の便宜のために、図面間及び構成間の相対的位置を基準で決めたものであり、以下で説明される各方向は、それと異なって特別に限定する場合を除き、それに基づいたものである。
【００３９】
以下の実施形態において、「含む」または「有する」というような用語は、明細書上に記載された特徴または構成要素が存在するということを意味するものであり、１以上の他の特徴または構成要素が付加される可能性をあらかじめ排除するものではない。
【００４０】
図面においては、説明の便宜のために、構成要素がその大きさが誇張されていたり縮小されていたりする。例えば、図面に示された各構成の大きさ及び厚みは、説明の便宜のために任意に示されており、以下の実施形態は、必ずしも図示されたところに限定されるものではない。
【００４１】
図１は、本発明の一実施形態による果樹枝誘引支持具の使用状態図である。図２は、本発明の一実施形態による果樹枝誘引支持具の斜視図である。図３は、本発明の一実施形態による枝掛け部材の側面図である。図４は、本発明の一実施形態による長さ調節部材の平面図である。図５は、本発明の一実施形態による長さ調節部材の側面図である。図６は、本発明の一実施形態による果樹枝誘引支持具の使用状態図である。
【００４２】
図面を参照すれば、本発明の一実施形態による果樹枝誘引支持具１は、果樹２に含まれた側枝３と主枝４との間に配置され、主枝４に対する側枝３の反った角度及び位置を維持させることができる支持部材である。一例として、果樹枝誘引支持具１は、果樹２の枝のうち誘引しようとする側枝３に脱着自在に支持される枝掛け部材１０、果樹２の枝のうち主枝４に巻きつけられる誘引ストラップ２０、及び誘引ストラップ２０に結合され、側枝３と主枝４との間に配置される誘引ストラップ２０の長さを調節することができる長さ調節部材３０を含んでもよい。
【００４３】
枝掛け部材１０は、側枝３に脱着自在に支持されるフック部１１、及び後述する、誘引ストラップ２０の一側端部が固定される誘引ストラップ支持部１２を含んでもよい。フック部１１は、果樹２の枝、例えば、側枝３に掛かって支持される鉤形状にも設けられる。ただし、本開示は、それに制限されるものではなく、フック部１１は、果樹２の枝に掛かって支持される任意の形状にも設けられる。
【００４４】
誘引ストラップ支持部１２は、フック部１１と誘引ストラップ２０との間に配置され、フック部１１と誘引ストラップ２０とを連結することができる連結部材である。一例として、誘引ストラップ支持部１２には、誘引ストラップ２０の一側端部が固定される。例えば、誘引ストラップ支持部１２は、開口形状の掛け溝１２０を含んでもよく、誘引ストラップ２０の一側端部は、前記掛け溝１２０に結束されても固定される。このとき、掛け溝１２０は、誘引ストラップ２０の結束が容易であるように、誘引ストラップ支持部１２の残り領域より相対的に厚みが薄くも形成される。本開示においては、掛け溝１２０を利用し、誘引ストラップ２０の一側端部を固定させたが、本開示は、それに制限されるものではなく、誘引ストラップ２０の一側端部を固定させることができる任意の固定部材が配置されてもよい。
【００４５】
また、誘引ストラップ支持部１２は、フック部１１に対して、所定角度αを具備するようにも結合される。一例として、誘引ストラップ支持部１２は、一方向に沿って延長されるようにも設けられ、誘引ストラップ支持部１２の一端部は、フック部１１の一端部に結合されるようにも配置される。このとき、誘引ストラップ支持部１２は、フック部１１と所定角度αを具備するように結合されることにより、枝掛け部材１０は、垂直方向に沿って引っ張り力を印加される。
【００４６】
果樹２の側枝３と対向するように配置されるフック部１１の内側面には、側枝３にフック部１１を固定させるための１以上の固定突起１３が配置される。一例として、１以上の固定突起１３は、側枝３に接触して固定される楔（wedge）形状にも設けられるが、本開示は、それに制限されるものではない。
【００４７】
誘引ストラップ２０は、枝掛け部材１０に一側端部が固定され、果樹２の枝のうち主枝４に巻きつけられることにより、側枝３と主枝４とに圧縮力を印加することができる。一例として、誘引ストラップ２０は、一方向に沿って延長されるロープ形状にも設けられる。また、誘引ストラップ２０は、所定幅Ｗ、例えば、５ｍｍ以上の幅Ｗを具備するようにも設けられる。従って、誘引ストラップ２０は、主枝４に巻きつけられた状態で、主枝４と相対的に広い面積で接触することができ、それにより、従来幅が狭いロープ形状の誘引ストラップが主枝４に食い込み、主枝４に損傷を負わせるものとは異なり、主枝４に損傷を負わせずに、主枝４に安定して巻きつけられる。
【００４８】
長さ調節部材３０は、誘引ストラップ２０の他側端部に一端部が固定され、誘引ストラップ２０の長さ方向に沿って、移動自在に誘引ストラップ２０に結合され、枝掛け部材１０に支持された側枝３と、誘引ストラップ２０に巻きつけられた主枝４との間に配置された誘引ストラップ２０の長さを調節することができる。
【００４９】
一例として、長さ調節部材３０は、板状の本体部３００、誘引ストラップ２０が受容される、第１受容部３１０及び第２受容部３２０、誘引ストラップ２０が挿入される経路に該当する、第１挿入部３３０及び第２挿入部３４０を含んでもよい。本体部３００は、一方向に沿って延長される板状にも設けられるが、本開示は、それに制限されるものではない。後述する第１受容部３１０及び第２受容部３２０と、第１挿入部３３０及び第２挿入部３４０とが配置される任意形状に設けられてもよい。
【００５０】
第１受容部３１０は、本体部３００に配置され、誘引ストラップ２０の一部が受容される。一例として、誘引ストラップ２０が所定幅を具備するように設けられた場合、第１受容部３１０は、本体部３００の中心部に配置され、誘引ストラップ２０を受容するように一方向に沿って延長される溝形状にも設けられる。このとき、第１受容部３１０の溝形状は、誘引ストラップ２０の幅に対応する。
【００５１】
第２受容部３２０は、本体部３００に配置され、第１受容部３１０と所定間隔を間に置いて離隔されるように配置され、第１受容部３１０に受容される誘引ストラップ２０の部分と異なる部分が受容される。一例として、第２受容部３２０は、本体部３００の中心部にも配置され、本体部３００の延長方向に沿って、第１受容部３１０と所定間隔を間に置いて離隔されるようにも配置される。また、誘引ストラップ２０が所定幅を具備するように設けられた場合、第２受容部３２０は、誘引ストラップ２０を受容するように一方向に沿って延長される溝形状にも設けられる。このとき、第２受容部３２０の溝形状は、誘引ストラップ２０の幅に対応する。
【００５２】
第１挿入部３３０は、誘引ストラップ２０の一部が第１受容部３１０に挿入されるように、本体部３００の側部に配置された第１開口３０１から第１受容部３１０までつながる挿入経路である。一例として、第１挿入部３３０は、第１開口３０１から第１受容部３１０まで第１方向Ｍ１に沿って延長されるガイド経路でもある。このとき、第１方向Ｍ１は、本体部３００の延長方向Ｎと所定角度β、例えば、時計回り方向に沿って、１００°以上であって１５０°以下の角度を具備することができる。それにより、ユーザは所定幅を具備する誘引ストラップ２０を、さらに容易に第１挿入部３３０に挿入することができる。
【００５３】
第２挿入部３４０は、誘引ストラップ２０の他の一部が、第２受容部３２０に挿入されるように、本体部３００の側部に配置された第２開口３０２から第２受容部３２０までつながる挿入経路である。一例として、第２挿入部３４０は、第２開口３０２から第２受容部３２０まで、第２方向Ｍ２に沿って延長されるガイド経路でもある。このとき、第２方向Ｍ２は、第１方向Ｍ１と対向し、本体部３００の延長方向Ｎと所定角度γ、例えば、反時計回り方向に沿って、３０°以上８０°以下の角度を具備することができる。それにより、ユーザは、所定幅を具備する誘引ストラップ２０を第１挿入部３３０に挿入した後、続けて第２挿入部３４０に挿入することができる。
【００５４】
前述の実施形態においては、第１受容部３１０及び第１挿入部３３０、第２受容部３２０及び第２挿入部３４０を区別して敍述しているが、所定幅を具備する誘引ストラップ２０が挿入されて受容されるように一方向に沿って延長される１つの溝形状が、挿入部と受容部との機能を同時に遂行することもできる。
【００５５】
段差部３５０は、第１挿入部３３０の一端部に配置され、誘引ストラップ２０の一部が第１挿入部３３０から離脱することを防止する離脱防止部材である。一例として、段差部３５０は、第１開口３０１に隣接した第１挿入部３３０の一端部に配置されることにより、段差部３５０が配置された第１挿入部３３０の幅が細くなる。それにより、ユーザによってさらなる外力が印加されることなくしては、誘引ストラップ２０は、第１挿入部３３０から離脱することがない。
【００５６】
第１突出部３６１は、誘引ストラップ２０の位置を固定させるために、第１受容部３１０に受容された誘引ストラップ２０の一部に圧力を印加する固定部材である。一例として、第１突出部３６１は、第１受容部３１０の長手方向に沿って配置され、本体部３００の厚み方向に沿って突出するようにも配置される。第１突出部３６１は、第１受容部３１０に受容された誘引ストラップ２０の折れた部位に圧力を印加することができる。
【００５７】
第２突出部３６２は、誘引ストラップ２０の位置を固定させるために、第２受容部３２０に受容された誘引ストラップ２０の他の一部に圧力を印加する固定部材である。一例として、第２突出部３６２は、第２受容部３２０の長手方向に沿って配置され、本体部３００の厚み方向に沿って突出するようにも配置される。第２突出部３６２は、第２受容部３２０に受容された誘引ストラップ２０の折れた部位に圧力を印加することができる。
【００５８】
第１係止部３７１は、所定幅を具備する誘引ストラップ２０に摩擦力を印加し、第１受容部３１０に受容された誘引ストラップ２０の位置を固定させるための固定部材である。一例として、第１係止部３７１は、第１突出部３６１の上部において、第１突出部３６１の長手方向に沿って配置され、本体部３００の厚み方向に沿って突出するようにも設けられる。このとき、第１係止部３７１は、１以上の鋸歯形状に設けられ、誘引ストラップ２０が折れた状態で誘引ストラップ２０の一面と接触することができる。それにより、誘引ストラップ２０と第１係止部３７１との間に摩擦力が生じる。
【００５９】
第２係止部３７２は、所定幅を具備する誘引ストラップ２０に摩擦力を印加し、第２受容部３２０に受容された誘引ストラップ２０の位置を固定させるための固定部材である。一例として、第２係止部３７２は、第２突出部３６２の上部において、第２突出部３６２の長手方向に沿って配置され、本体部３００の厚み方向に沿って突出するようにも設けられる。このとき、第２係止部３７２は、１以上の鋸歯形状に設けられ、誘引ストラップ２０が折れた状態で誘引ストラップ２０の一面と接触することができる。それにより、誘引ストラップ２０と第２係止部３７２との間に摩擦力が生じる。
【００６０】
図７Ａないし図７Ｃは、本発明の一実施形態による果樹枝誘引支持具の設置方法について説明する概略図である。図８は、本発明の一実施形態による長さ調節部材の使用状態について説明する側面図である。
【００６１】
まず、図７Ａに図示されているように、枝掛け部材１０を、果樹の枝のうち誘引しようとする側枝３に掛ける。このとき、前記枝掛け部材１０の上部外側を下部方向に圧迫することにより、枝掛け部材１０の固定突起１３が側枝３の表面に入り込んで固定され、それにより、枝掛け部材１０が側枝３から滑り出さず、堅固に固定される。その次に、枝掛け部材１０に一側端部が結ばれて結束された誘引ストラップ２０の他側部を、側枝３の上部または下部に位置する主枝４の周囲に沿って移動させた後、誘引ストラップ２０を主枝４周囲の半分だけ接触されるように巻く。
【００６２】
その次に、図７Ｂに図示されているように、誘引ストラップ２０の一部を、長さ調節部材３０に含まれた第１受容部３１０に結合させる。このとき、誘引ストラップ２０は、ユーザによる外力を利用し、段差部３５０を通過することができる。段差部３５０を通過した誘引ストラップ２０は、第１挿入部３３０に沿って移動し、第１受容部３１０に受容される。次に、誘引ストラップ２０の長手方向に、誘引ストラップ２０と、長さ調節部材３０の第１受容部３１０とが一直線になるように、作業者が長さ調節部材３０を手に取り、誘引ストラップ２０と長さ調節部材３０とを直角になるように立てる。その後、長さ調節部材３０を誘引ストラップ２０の長手方向に沿って、上部方向または下部方向に移動させ、誘引ストラップ２０の長さを調節することができる。誘引ストラップ２０の長さが調節されることにより、誘引ストラップ２０の一側と結束された枝掛け部材１０に掛かった側枝３も、上部方向または下部方向に移動されて反ることになる。
【００６３】
その次に、図７Ｃに図示されているように、側枝３があらかじめ決定された位置に反れば、第１受容部３１０に受容された誘引ストラップ２０の一部と異なる誘引ストラップ２０の他の一部を、長さ調節部材３０に含まれた第２受容部３２０に結合させる。このとき、第２挿入部３４０が延長された第２方向Ｍ２は、第１挿入部３３０が延長された第１方向Ｍ１と対向するように設けら、それにより、誘引ストラップ２０は、第１受容部３１０と第２受容部３２０とに、異なる方向に沿って交差するように受容される。従って、ユーザは、さらに容易に誘引ストラップ２０を、第１受容部３１０及び第２受容部３２０に挿入することができる。
【００６４】
その次に、ユーザが手にしていた長さ調節部材３０を放せば、図６に図示されているように、それと同時に、誘引ストラップ２０に巻きつけられた主枝４の張力で、誘引ストラップ２０の他側端部と結束された長さ調節部材３０の一側が下部方向に回転移動される。このとき、誘引ストラップ支持部１２は、フック部１１と所定角度αを具備するように結合されることにより、枝掛け部材１０は、垂直方向に沿って引っ張り力を印加される。
【００６５】
また、図８に図示されているように、第１受容部３１０に受容された誘引ストラップ２０の一部は、第１受容部３１０を中心に折れる。所定幅を具備するように設けられた誘引ストラップ２０の一面は、第１突出部３６１の端部によって圧力を印加され、それにより、長さ調節部材３０が誘引ストラップ２０に固定される。また、このとき、第１突出部３６１上に設けられた第１係止部３７１は、誘引ストラップ２０の一面と接触し、摩擦力を印加することができ、それにより、長さ調節部材３０が誘引ストラップ２０にさらに強く固定される。
【００６６】
また、第２受容部３２０に受容された誘引ストラップ２０の他の一部は、第２受容部３２０を中心に折れる。所定幅を具備するように設けられた誘引ストラップ２０の一面は、第２突出部３６２の端部により、追加圧力を印加される、それにより、長さ調節部材３０が誘引ストラップ２０にさらに強く固定される。また、このとき、第２突出部３６２上に設けられた第２係止部３７２は、誘引ストラップ２０の一面と接触し、摩擦力を印加することができ、それにより、長さ調節部材３０が誘引ストラップ２０にさらに強く固定されることにより、側枝３の誘引作業が完了する。
【００６７】
前述の実施形態で確認したように、誘引ストラップ２０が長さ調節部材３０に挿入されて結合される挿入部を２個に設け、誘引ストラップ２０と長さ調節部材３０とを２回結合することにより、側枝による荷重が増大する場合にも、誘引ストラップ２０が、長さ調節部材３０から容易に滑り出したり離脱したりする現象を防止し、側枝３の位置を所望位置に固定させることができる。それにより、側枝３を適する角度に維持させたり、側枝３の間隔を調節したりすることができ、果樹で果実が実る側枝３間に空間的均衡を維持させることができる。
【００６８】
また、前述の実施形態を参照すれば、所定幅以上を具備する誘引ストラップ２０を利用し、果樹２の側枝３及び主枝４を支持することにより、果樹２の側枝３及び主枝４が誘引ストラップ２０によって損傷されることを防止することができる。
【００６９】
また、だれでも簡便に枝誘引作業を行うことができ、作業性向上は言うまでもなく、人件費を節減することができ、枝掛け部材１０によって側枝３を損傷させたり、樹液フローを妨害せず、枝から容易に解体して回収することができるだけではなく、再使用が可能であるという効果がある。また、誘引ストラップ２０の長さを調節する長さ調節部材３０が、誘引ストラップに結合された状態で、誘引ストラップ長手方向に移動しながら、誘引ストラップ２０の長さを長くあるいは短く、再び容易に調節することができ、さまざまな条件変化に合わせ、随時側枝３が反る角度を修正し、果樹の成長を促進し、大きくて良質の果実を栽培することができるという効果がある。
【００７０】
前述の実施形態においては、誘引ストラップ２０が、長さ調節部材３０に挿入されて結合される挿入部を２個に設け、誘引ストラップ２０と長さ調節部材３０とを２回結合し、側枝による荷重が増大する場合にも、誘引ストラップ２０が、長さ調節部材３０から容易に滑り出したり離脱したりする現象を防止することができた。しかし、果樹枝誘引支持具が使用される果樹２の種類、実の数量、及び成熟度により、果樹２の枝の重さ、及び荷重が増大することもある。以下の実施形態においては、果樹２の枝の重さ、及び荷重が増大する場合にも、柔軟に対処することができるように、誘引ストラップ２０が長さ調節部材３０に挿入されて結合される挿入部が３個以上に設けられ、誘引ストラップ２０と長さ調節部材３０とを３回以上結合されることができる果樹枝誘引支持具について敍述する。
【００７１】
図９は、本発明の他の実施形態による果樹枝誘引支持具の斜視図である。図１０は、本発明の他の実施形態による長さ調節部材の平面図である。図１１は、本発明の他の実施形態による長さ調節部材の使用状態について説明する概略図である。
【００７２】
本実施形態に係わる枝掛け部材１０及び誘引ストラップ２０は、図１ないし図８に開示された枝掛け部材１０及び誘引ストラップ２０と実質的に同一であるので、敍述の便宜上、ここでは、敍述を省略する。
【００７３】
図９ないし図１１を参照すれば、一実施形態による長さ調節部材４０は、板状の本体部４００、誘引ストラップ２０が受容される３以上の受容部、例えば、第１受容部４１１ないし第３受容部４１３、誘引ストラップ２０が挿入される経路に該当する３以上の挿入部例えば、第１挿入部４２１ないし第３挿入部４２３を含んでもよい。
【００７４】
本実施形態において、第１受容部４１１と第３受容部４１３は、同一方向に沿って延長され、第２受容部４１２は、異なる方向に沿っても延長される。また、第１挿入部４２１と第３挿入部４２３は、同一方向、例えば、第１方向Ｍ１に沿って延長され、第２挿入部４２２は、第１方向Ｍ１に対向する第２方向Ｍ２に沿っても延長される。それにより、誘引ストラップ２０は、第１受容部４１１、第２受容部４１２及び第３受容部４１３に互いに異なる一部が受容される。それにより、誘引ストラップ２０は、第１方向Ｍ１、第２方向Ｍ２及び第１方向Ｍ１が交差される方式で、第１受容部４１１ないし第３受容部４１３に受容され、長さ調節部材４０に結合される。
【００７５】
また、第１方向Ｍ１に延長された第１挿入部４１１と第３挿入部４２３との一端部には、誘引ストラップ２０の離脱を防止するための段差部４３１，４３２が配置される。また、第１受容部４１１ないし第３受容部４１３には、誘引ストラップ２０の位置を固定させるための第１突出部４４１ないし第３突出部４４３と、第１係止部４５１ないし第３係止部４５３がそれぞれ配置される。突出部と係止部とを利用し、誘引ストラップ２０を長さ調節部材３０に固定する事項は、前述の実施形態で敍述した内容と同一であるので、ここでは、敍述を省略する。
【００７６】
前述のように、誘引ストラップ２０が受容部を３個以上に設け、誘引ストラップ２０と長さ調節部材３０とを３回以上結合することにより、側枝による荷重が増大する場合にも、誘引ストラップ２０が長さ調節部材３０から容易に滑り出したり離脱したりする現象を防止し、側枝３の位置を所望位置に固定させることができる。また、側枝による荷重の程度により、ユーザは、誘引ストラップ２０と長さ調節部材３０との結合を３回以下に選択することができるので、果樹の状態による果樹枝誘引支持具のユーザ便宜性を増大させることができる。
【００７７】
本発明によれば、誘引ストラップが長さ調節部材に挿入されて結合される挿入部を複数個に設け、誘引ストラップと長さ調節部材とを複数回結合することにより、側枝による荷重が増大する場合にも、誘引ストラップが長さ調節部材から容易に滑り出したり離脱したりする現象を防止し、側枝の位置を、所望位置に固定させることができる。それにより、側枝を、適する角度に維持させたり、側枝の間隔を調節したりすることができ、果樹で果実が実る側枝間に空間的均衡を維持させることができる。
【００７８】
また、本発明によれば、所定幅以上を具備する誘引ストラップを利用し、果樹の側枝を支持することにより、側枝が誘引ストラップによって損傷されることを防止することができる。
【００７９】
また、だれでも簡便に枝誘引作業を行うことができ、作業性向上は言うまでもなく、人件費を節減することができ、枝掛け部材によって側枝を損傷させたり、樹液フローを妨害せず、枝から容易に解体して回収することができるだけではなく、再使用が可能であるという効果がある。
【００８０】
また、誘引ストラップの長さを調節する長さ調節部材が、誘引ストラップに結合された状態で、誘引ストラップ長手方向に移動しながら、誘引ストラップの長さを、長くあるいは短く、再び容易に調節することができ、さまざまな条件変化に合わせ、随時に側枝が反る角度を修正し、果樹の成長を促進し、大きくて良質の果実を栽培することができるという効果がある。
【００８１】
以上、本発明の特定の実施形態が説明されて図示されたが、本発明は、記載された実施形態に限定されるものではなく、本発明の思想及び範囲を外れずに、多様に修正して変形することができるということは、当該技術分野で当業者であるならば、自明であろう。従って、そのような修正例または変形例は、本発明の技術的思想や観点から個別的に理解されるものではなく、変形された実施形態は、本発明の特許請求の範囲に属するものとしなければならないのである。
【産業上の利用可能性】
【００８２】
本発明の果樹枝誘引支持具は、例えば、果実生産関連の技術分野に効果的に適用可能である。
【符号の説明】
【００８３】
１    果樹枝誘引支持具
２    果樹
３    側枝
４    主枝
１０    枝掛け部材
１１    フック部
１２    誘引ストラップ支持部
１３    固定突起
２０    誘引ストラップ
３０    長さ調節部材
３００    本体部
３１０    第１受容部
３２０    第２受容部
３３０    第１挿入部
３４０    第２挿入部
３５０    段差部
３６１    第１突出部
３６２    第２突出部
３７１    第１係止部
３７２    第２係止部
【図１】
2020018286.tif 000003
【図２】
2020018286.tif 000004
【図３】
2020018286.tif 000005
【図４】
2020018286.tif 000006
【図５】
2020018286.tif 000007
【図６】
2020018286.tif 000008
【図７Ａ】
2020018286.tif 000009
【図７Ｂ】
2020018286.tif 000010
【図７Ｃ】
2020018286.tif 000011
【図８】
2020018286.tif 000012
【図９】
2020018286.tif 000013
【図１０】
2020018286.tif 000014
【図１１】
2020018286.tif 000015